(57)【特許請求の範囲】
【請求項１】
長側壁が、下部垂直壁部と該下部垂直壁部の上端から内側方向に傾斜した傾斜壁部と該傾斜壁部の上端から略垂直に延在する上部垂直壁部とにより構成されているとともに、長側壁の外壁面の少なくとも合成樹脂製箱型容器の下端まで達する下部領域が、面一な平面に形成されており、且つ、傾斜壁部には、少なくとも、下部垂直壁部と傾斜壁部の境界線まで達する透孔が穿設されていることを特徴とする合成樹脂製箱型容器。
【請求項２】
底部の裏面には、長側壁の上端部が挿入される溝部が形成されていることを特徴とする請求項１に記載の合成樹脂製箱型容器。
【発明の詳細な説明】
【０００１】
【発明の属する技術分野】
本発明は、種々の物品を収容し、運搬や保管するために使用される合成樹脂で一体成形された合成樹脂製箱型容器に関するものである。
【０００２】
【従来の技術】
従来、底部を囲むように配設された側壁の上端部から、外側に水平方向に延在する複数の上部リブと、側壁の下端部から、同じく外側に水平方向に延在する下部水平リブとを有する合成樹脂製箱型容器が知られている。
【０００３】
【発明が解決しようとする課題】
上述した従来の合成樹脂製箱型容器には、上部水平リブ及び下部水平リブが形成されているために、側壁にインクジェットで印字する際に、インクジェットの先端を、側壁に近づけることができず、字や絵等がぼけたりする等の問題があった。
【０００４】
また、従来の合成樹脂製箱型容器においては、その洗浄性が悪く、洗浄作業に時間がかかるという問題があった。
【０００５】
本発明の目的は、上述した従来の合成樹脂製箱型容器が有する課題を解決することになる。
【０００６】
【課題を解決するための手段】
本発明は、上述した目的を達成するために、第１には、長側壁を、下部垂直壁部と該下部垂直壁部の上端から内側方向に傾斜した傾斜壁部と該傾斜壁部の上端から略垂直に延在する上部垂直壁部とにより構成するとともに、長側壁の外壁面の少なくとも合成樹脂製箱型容器の下端まで達する下部領域が、面一な平面に形成されており、且つ、傾斜壁部には、少なくとも、下部垂直壁部と傾斜壁部の境界線まで達する透孔を穿設したものであり、第２には、底部の裏面に、長側壁の上端部が挿入される溝部を形成したものである。
【０００７】
【実施例】
以下に、本発明の実施例について説明するが、本発明の趣旨を越えない限り何ら、本実施例に限定されるものではない。
【０００８】
１は、平面形状が略長方形の底部であり、底部１の相対する長辺１ａに沿った底部１の裏面には、細長い側部土手部１ｂが形成されており、側部土手部１ｂは、細長い筒部１ｂ１と、筒部１ｂ１の長手方向に対して直交する仕切り壁１ｂ２とにより構成されている。
【０００９】
更に、底部１の裏面には、細長い側部土手部１ｂと同じ高さを有する略長方形状の嵌合土手部１ｃが形成されており、嵌合土手部１ｃは、筒部１ｃ１と、縦横に走る交差リブ１ｃ２とにより構成されている。嵌合土手部１ｃの長辺側と側部土手部１ｂとの間には、溝部１ｄが形成されている。
【００１０】
底部１の相対する長辺１ａからは、細長い側部土手部１ｂの外壁面と面一になるように、長側壁２が立設されている。長側壁２は、底部１に対して略垂直に延在する下部垂直壁部２ａと、下部垂直壁部２ａの上端から内側方向に傾斜した傾斜壁部２ｂと、傾斜壁部２ｂの上端から略垂直に延在する上部垂直壁部２ｃとから構成されている。また、傾斜壁部２ｂには、適当数の透孔２ｄが穿設されている。本実施例には、半円形状の透孔２ｄが形成されているが、透孔２ｄの形状は、円形でも、楕円形でも、三角形や多角形でもよい。透孔２ｄは、少なくとも、下部垂直壁部２ａと傾斜壁部２ｂの境界線Ｌまで達しており、透孔２ｄの一部が、境界線Ｌを越えて、下部垂直壁部２ａに形成されていてもよい。更に、上部垂直壁部２ｃの上端の下方に位置する外側面には、略水平に延在する水平フランジ２ｅが形成されている。なお、２ｆは、水平フランジ２ｅの下面と傾斜壁部２ｂの上面とにより形成される隅部に形成された三角リブであり、本実施例においては、傾斜壁部２ｂの両端部と、透孔２ｄを挟持するように形成されている。
【００１１】
上述した長側壁２の傾斜壁部２ｂに穿設された透孔２ｄは、略半円形状や略半楕円形状に形成することが好ましい。そして、略半円形や略半楕円形の弦部分２ｄ１が、上述した下部垂直壁部２ａと傾斜壁部２ｂの境界線Ｌと一致するとともに、円弧状部分２ｄ２が、傾斜壁部２ｂ内に位置するように形成されている。透孔２ｄを、このように形成することにより、合成樹脂製箱型容器に収容された物品を取り出す際に、透孔２ｄに物品が引っ掛かるようなことを防止することができる。
【００１２】
長側壁２を構成する傾斜壁部２ｂが、水平方向に近づくと、合成樹脂製箱型容器に収容された物品を取り出す際に、物品が、傾斜壁部２ｂに、より引っ掛かり易くなり、合成樹脂製箱型容器からの物品の取り出し作業の作業性が悪くなる。このようなことを考慮して、傾斜壁部２ｂの下部垂直壁部２ａに対する傾斜角度を、３０度〜４５度程度とすることが好ましい。
【００１３】
底部１の相対する短辺１ｅからは、略垂直な短側壁３が、長側壁２と同じ高さに立設されている。また、短側壁３の上端には、外方向に略水平に延在する水平フランジ３ａが形成されている。４は、短側壁３に形成された水平フランジ３ａの中央部裏面から垂下された一対の垂直リブであり、一対の垂直リブ４間には、垂直リブ４を連結する水平状の持ち手用リブ５が形成されている。なお、必要に応じて、短側壁３の上部にも、上述した長側壁２の傾斜壁部２ｂに穿設された透孔２ｄと同様の透孔３ｂを穿設することもできる。
【００１４】
６は、短側壁３に形成された水平フランジ３ａの両端部付近から、底部１付近まで延在する、短側壁３に対して略直角な垂直リブであり、垂直リブ６の下端には、垂直リブ６より外側に位置する短側壁３を連結する、略四分円形状の水平な隅リブ７が形成されている。このような、垂直リブ６及び隅リブ７を形成することにより、合成樹脂製箱型容器の強度や剛性を高めることができる。
【００１５】
本発明の合成樹脂製箱型容器の長側壁２側の外壁面の少なくとも合成樹脂製箱型容器の下端まで達する下部領域が、底部１の裏面に形成された側部土手部１ｂ及び長側壁２を含め、面一な平らな平板状に形成されているので、字や絵等を、合成樹脂製箱型容器の下端部から印字することができるとともに、インクジェットの先端を、長側壁２側の壁面に近づけることができるので、字や絵等を鮮明に印字することができる。このことは、従来の段ボールの壁面に印字する印字装置に、何ら変更を加えることなく、この印字装置を、本発明の合成樹脂製箱型容器の壁面への印字に適用することができるという格別の効果を奏することができるものである。
【００１６】
本発明の合成樹脂製箱型容器を洗浄する際には、図４に示されているように、ローラーコンベヤー等からなる洗浄ラインＲに、合成樹脂製箱型容器の一方の長側壁２が接触するように載置する。そして、洗浄ラインＲに並設された洗浄装置から洗浄水を、合成樹脂製箱型容器に向けて噴射させて、合成樹脂製箱型容器を洗浄することになるが、合成樹脂製箱型容器内に入った洗浄液は、長側壁２の内壁から、傾斜壁部２ｂに穿設された透孔２ｄを経て排出されることになるので、合成樹脂製箱型容器内に洗浄液が残留するようなことがない。特に、透孔２ｄは、少なくとも、下部垂直壁部２ａと傾斜壁部２ｂの境界線Ｌまで達しているので、洗浄ラインＲに、合成樹脂製箱型容器の一方の長側壁２が接触するように載置した際に、長側壁２の内壁と透孔２ｄとの間に、段差が形成されるようなことがないので、合成樹脂製箱型容器内に入った洗浄水が、長側壁２の内壁から傾斜壁部２ｂに穿設された透孔２ｄに、確実に排出され、合成樹脂製箱型容器内に残留するようなことがない。
【００１７】
上述した合成樹脂製箱型容器を段積みする際には、下に位置する合成樹脂製箱型容器の開口部に、上に位置する合成樹脂製箱型容器に底部１の裏面に形成された嵌合土手部１ｃが嵌合されるとともに、上に位置する合成樹脂製箱型容器の底部１の裏面に配設された嵌合土手部１ｃと側部土手部１ｂとの間に形成された溝部１ｄに、下に位置する合成樹脂製箱型容器の長側壁２に形成された水平フランジ２ｅから突出している上部垂直壁部２ｃが挿入されるように構成されており、且つ、水平フランジ２ｅには、上に位置する合成樹脂製箱型容器の底部１の裏面に配設された側部土手部１ｂが載置されるように構成されている。
【００１８】
段積みされた合成樹脂製箱型容器の上に位置する合成樹脂製箱型容器を取り出す場合には、上に位置する合成樹脂製箱型容器を、下に位置する合成樹脂製箱型容器に対して、長側壁２に沿って引き出すことになるが、上述したように、上に位置する合成樹脂製箱型容器の底部１の裏面に配設された嵌合土手部１ｃと側部土手部１ｂとの間に形成された溝部１ｄに、下に位置する合成樹脂製箱型容器の長側壁２に形成された水平フランジ２ｅから突出している上部垂直壁部２ｃが挿入されているので、取り出される上に位置する合成樹脂製箱型容器が、下に位置する合成樹脂製箱型容器に対して傾斜したり、或いは、引き出し途中で、下に位置する合成樹脂製箱型容器から外れるようなことがなく、従って、段積みされた合成樹脂製箱型容器からの合成樹脂製箱型容器の取り出し作業の作業性が向上する。
【００１９】
【発明の効果】
本発明は、以上説明した構成を有しているので、以下に記載する効果を奏するものである。
【００２０】
側壁の外壁面の少なくとも合成樹脂製箱型容器の下端まで達する下部領域を、平面に形成したので、字や絵等を、合成樹脂製箱型容器の下端部から印字することができるとともに、インクジェットの先端を、壁側に近づけることができるので、字や絵等がぼけることなく、鮮明に印字することができる。
【００２１】
長側壁を、下部垂直壁部と該下部垂直壁部の上端から内側方向に傾斜した傾斜壁部と該傾斜壁部の上端から略垂直に延在する上部垂直壁部とにより構成するとともに、傾斜壁部には、少なくとも、下部垂直壁部と傾斜壁部の境界線まで達する透孔を穿設したので、合成樹脂製箱型容器内に入った洗浄水を、確実に排出することができる。
【００２２】
底部の裏面に、長側壁の上端部が挿入される溝部を形成したので、段積みされた合成樹脂製箱型容器から、所定の合成樹脂製箱型容器を取り出す際に、取り出される合成樹脂製箱型容器が傾斜したり、或いは、引き出し途中で、下に位置する合成樹脂製箱型容器から外れるようなことがなく、従って、段積みされた合成樹脂製箱型容器からの所定の合成樹脂製箱型容器の取り出し作業の作業性が向上する。
【図面の簡単な説明】
【図１】図１は本発明の合成樹脂製箱型容器の斜視図である。
【図２】図２は本発明の合成樹脂製箱型容器の裏面斜視図である。
【図３】図３は本発明の合成樹脂製箱型容器の短側壁に沿った垂直断面図である。
【図４】図４は本発明の合成樹脂製箱型容器が洗浄ラインに載置された状態の斜視図である。
【図５】図５は本発明の合成樹脂製箱型容器が段積みされた状態の短側壁に沿った垂直断面図である。
【符号の説明】
１・・・・・・・・・・底部
１ｂ・・・・・・・・・側部土手部
１ｃ・・・・・・・・・嵌合土手部
２・・・・・・・・・・長側壁
２ａ・・・・・・・・・下部垂直壁部
２ｂ・・・・・・・・・傾斜壁部
２ｃ・・・・・・・・・上部垂直壁部
２ｄ・・・・・・・・・透孔
３・・・・・・・・・・短側壁
【図１】
0004113365.tif 000002
【図２】
0004113365.tif 000003
【図３】
0004113365.tif 000004
【図４】
0004113365.tif 000005
【図５】
0004113365.tif 000006